(57)【要約】【課題】電球をガラス球の周側回り球面にあてがうフィンガーで安定よく確実に把持し乃至は外出し可能なチャック具を備える。【解決手段】ガラス球ｌ１の周側回り球面にあてがう二本の立上り軸部２０ａ，２０ｂを基軸部２０ｃ，２０ｄの軸端より折り曲げて設けたフィンガー２ａ，２ｂと、取手棒１の先端側に取り付けてガラス球ｌ１の中心回り球面にあてがうパッド２ｃとを備え、フィンガー２ａ，２ｂの基軸部２０ｃ，２０ｄをパッドの下部寄りに設けた止め環２２ａ，２２ｂで抱えてフィンガー２ａ，２ｂをパッド２ｃの両側に相対させて組み付けると共に、引合いバネ２３ａ，２３ｂをフィンガー２ａ，２ｂの相対する立上り軸部相互に掛渡し装着したチャック具２を備える。【選択図】図１
2007059226.tif 000002
【特許請求の範囲】
【請求項１】
ガラス球を把持するチャック具を軸回し操作する取手棒の先端側に備える電球交換器具において、ガラス球の周側回り球面にあてがう二本の立上り軸部を基軸部の軸端より折り曲げて設けたフィンガーと、取手棒の先端側に取り付けてガラス球の中心回り球面にあてがうパッドとを備え、フィンガーの基軸部をパッドの下部寄りに設けた止め環で抱えてフィンガーをパッドの両側に相対させて組み付けると共に、引合いバネをフィンガーの相対する立上り軸部相互に掛渡し装着したチャック具を備えてなることを特徴とする電球交換器具。
【請求項２】
ガラス球を把持するチャック具を軸回し操作する取手棒の先端側に備える電球交換器具において、コイルバネを可撓管の径内に嵌装した連結部材により、チャック具を取手棒の先端側に立付け装着したことを特徴とする電球交換器具。
【請求項３】
ガラス球の周側回り球面にあてがう二本の立上り軸部を基軸部の軸端より折り曲げて設けたフィンガーと、取手棒の先端側に取り付けてガラス球の中心回り球面にあてがうパッドとを備え、フィンガーの基軸部をパッドの下部寄りに設けた止め環で抱えてフィンガーをパッドの両側に相対させて組み付けると共に、引合いバネをフィンガーの相対する立上り軸部相互に掛渡し装着したチャック具を備え、請求項２に記載のコイルバネを可撓管の径内に嵌装した連結部材により、該チャック具を取手棒の先端側に立付け装着したことを特徴とする電球交換器具。
【発明の詳細な説明】
【技術分野】
【０００１】
本発明は、天井等の比較的高所に備え付けられる電球を着脱交換するに用いられる電球交換器具に関するものである。
【背景技術】
【０００２】
電球交換器具としては、ガラス球の周側回り球面にあてがうフィンガーを下端側に挿通する支ピンで支持台に軸承装着することから、四本のフィンガーを支持台の周側に略９０°間隔で立て付けて設けると共に、コイルバネを相隣接するフィンガー相互に掛渡し装着し、各フィンガーをコイルバネで拡開乃至は近接変位させることにより、下向きの電球を各フィンガーで把持し乃至は外出し可能なチャック具を備えたものが知られている（特許文献１）。
【０００３】
そのチャック具では、四本のフィンガーを相隣接するフィンガー相互に掛渡し装着するコイルバネで互いに引張り合わせるものであるため、下向きの旧電球を取り外すべく、各フィンガーをガラス球の中心回り球面より周側回り球面に摺接させて移動することから電球を受け入れるに、高所の電球に合せて各フィンガーをコイルバネで均等に拡がらせるのが難しい。
【０００４】
上述した下向きの電球の他に、斜め下向きまたは横向きに備え付けられる電球に対応するべく、チャック具をコイルバネで軸回し操作する取手棒の先端側に連結させて立付け装着することから、電球の備付け角度に応じてチャック具をコイルバネで首振り可能に備え付ける電球の交換器具が知られている（特許文献２，３）。
【０００５】
その電球交換器具では、チャック具を電球の備付け角度に応じてコイルバネで首振りさせ得るが、電球をチャック具で把持した状態で取手棒をコイルバネの螺旋向きと逆方向に軸回し操作すると、コイルバネが螺旋径を拡げる方向に変形してしまい、電球を口金のねじ込み或いはねじ戻し方向に取手棒の軸回し操作で円滑に回転させられないおそれがある。
【特許文献１】特開平７−６７４１
【特許文献２】実開昭６２−９６２６９
【特許文献３】特開平１０−７４４９４
【発明の開示】
【発明が解決しようとする課題】
【０００６】
本発明の第１の課題は、電球をガラス球の周側回り球面にあてがうフィンガーで安定よく確実に把持し乃至は外出し可能なチャック具を備える電球交換器具を構成するところにある。
【０００７】
本発明の第２の課題は、斜め下向きまたは横向きに備え付けられる電球の角度に応じてチャック具を容易に首振り可能で、且つ、電球を口金のねじ込み或いはねじ戻し側に取手棒の軸回し操作で円滑に回転可能な電球交換器具を構成するところにある。
【０００８】
本発明の第３の課題は、電球をガラス球の周側回り球面にあてがうフィンガーで安定よく確実に把持し乃至は外出し可能なチャック具を備えると共に、斜め下向きまたは横向きに備え付けられる電球の角度に応じてチャック具を容易に首振りでき、また、電球を口金のねじ込み或いはねじ戻し側に取手棒の軸回し操作で円滑に回転可能な電球交換器具を構成するところにある。
【課題を解決するための手段】
【０００９】
本願の請求項１に係る電球交換器具は、ガラス球を把持するチャック具を軸回し操作する取手棒の先端側に備えるもので、ガラス球の周側回り球面にあてがう二本の立上り軸部を基軸部の軸端より折り曲げて設けたフィンガーと、取手棒の先端側に取り付けてガラス球の中心回り球面にあてがうパッドとを備え、フィンガーの基軸部をパッドの下部寄りに設けた止め環で抱えてフィンガーをパッドの両側に相対させて組み付けると共に、引合いバネをフィンガーの相対する立上り軸部相互に掛渡し装着したチャック具を備えてなることを特徴とする。
【００１０】
本願の請求項２に係る電球交換器具は、ガラス球を把持するチャック具を軸回し操作する取手棒の先端側に備えるもので、コイルバネを可撓管の径内に嵌装した連結部材により、チャック具を取手棒の先端側に立付け装着したことを特徴とする。
【００１１】
本願の請求項３に係る電球交換器具は、ガラス球の周側回り球面にあてがう二本の立上り軸部を基軸部の軸端より折り曲げて設けたフィンガーと、取手棒の先端側に取り付けてガラス球の中心回り球面にあてがうパッドとを備え、フィンガーの基軸部をパッドの下部寄りに設けた止め環で抱えてフィンガーをパッドの両側に相対させて組み付けると共に、引合いバネをフィンガーの相対する立上り軸部相互に掛渡し装着したチャック具を備え、請求項２に記載のコイルバネを可撓管の径内に嵌装した連結部材により、該チャック具を取手棒の先端側に立付け装着したことを特徴とする。
【発明の効果】
【００１２】
本願の請求項１に係る電球交換器具によれば、ガラス球の周側回り球面にあてがう二本の立上り軸部を有する二つのフィンガーをパッドの両側に相対させて組み付けると共に、引合いバネをフィンガーの相対する立上り軸部相互に掛渡し装着したチャック具を備えるため、二つのフィンガーが引合いバネで均等に拡開乃至は近接変位し易いことから、高所の電球でもチャック具で確実に把持し易く乃至はチャック具より容易に外し出せる簡便な交換器具として構成できる。
【００１３】
本願の請求項２に係る電球交換器具によれば、コイルバネを可撓管の径内に嵌装した連結部材により、チャック具を取手棒の先端側に立付け装着するため、斜め下向きまたは横向きに備え付けられる電球の角度に応じてチャック具を連結部材で容易に首振りできると共に、取手棒の軸回し操作に伴っても、コイルバネの螺旋径が開かないよう可撓管で抑えられることから、電球を口金のねじ込み或いはねじ戻し側に取手棒の軸回し操作で円滑に回転可能な交換器具として構成できる。
【００１４】
本願の請求項３に係る電球交換器具によれば、電球をガラス球の周側回り球面にあてがうフィンガーで安定よく円滑に把持し乃至は外出し可能なチャック具を備えると共に、斜め下向きまたは横向きに備え付けられる電球の角度に応じてチャック具を容易に首振りでき、電球を口金のねじ込み或いはねじ戻し側に取手棒の軸回し操作で円滑に回転可能な交換器具として構成できる。
【発明を実施するための最良の形態】
【００１５】
図示の電球交換器具は、図１で示すようにガラス球ｌ１と口金ｌ２とからなり、比較的高所に備え付けられる電球Ｌを着脱交換するものとして構成されている。この電球交換器具は、作業者が手で持って軸回し操作する取手棒１と、ガラス球把持用のチャック具２とを備え、チャック具２を可撓性の連結部材３で取手棒の先端側に立付け装着することから、下向き，斜め下向き，横向きのいずれの電球にも対応可能に構成されている。
【００１６】
取手棒１は丸パイプ部材でなり、一本の長尺棒または伸縮可能な複数本の繋ぎ棒として備え付けられる。この取手棒１には、先端側に嵌め合わされるホルダー４を備え、ホルダー４の開孔と嵌り合うプランジャ状のボールキー５を側面に設けることから、チャック具２がホルダー４で着脱可能に備え付けられている。ホルダー４は、取手棒１の先端側に嵌め合せる円筒部４ａと、円筒部４ａの開口に嵌着する基台部４ｂとから形成されている。
【００１７】
チャック具２は、ガラス球ｌ１の周側回りで相対位置より球面にあてがう二つのフィンガー２ａ，２ｂと、ガラス球ｌ１の中心回り球面にあてがうパッド２ｃを備えて構成されている。
【００１８】
フィンガー２ａ，２ｂとしては、図２で示す（片側のみ図示）ように間隔を保ってガラス球ｌ１の周側回り球面にあてがう二本の立上り軸部２０ａ，２０ｂを基軸部２０ｃ，２０ｄの片軸端より折り曲げて設けたものが備え付けられている。
【００１９】
そのフィンガー２ａ，２ｂは、図３で示すように基軸部２０ｃ，２０ｄ、２０ｃ’，２０ｄ’を軸端とし、立上り軸部２０ａ，２０ｂ、２０ａ’，２０ｂ’を橋絡軸部２０ｅ、２０ｅ’で連続させて二つ折りしたもの２０ａ，２０ｂ、２０ａ’，２０ｂ’で形成されている。また、先端側がガラス球ｌ１の周側回り球面に沿うよう湾曲させて形成されている（図１参照）。
【００２０】
パッド２ｂは、有底筒状を呈するプラスチック製のパッド本体２１ａと、パッド本体２１ａの開口回りに接着固定した滑止め用のゴムリング２１ｂとから形成されている。このパッド２ａには、板両端を折り曲げてフィンガー２ａ，２ｂの各基軸部２０ｃ，２０ｄ、２０ｃ’，２０ｄ’を抱え込む止め環２２ａ，２２ｂを設けた支持板２２がパッド本体２１ａの底部外にあてがい固定されている。
【００２１】
フィンガー２ａ，２ｂは、基軸部２０ｃ，２０ｄ、２０ｃ’，２０ｄ’を支持板２２パッドの止め環２２ａ，２２ｂで抱えることから、パッド２ｃを介して両側に相対させて組み付けられている。
【００２２】
また、コイルバネを引合いバネ２３ａ，２３ｂとし、フィンガー２ａ，２ｂの相対する立上り軸部２０ａ，２０ａ’、２０ｂ，２０ｂ’の相互に掛渡し装着することから、フィンガー２ａ，２ｂは引合いバネ２３ａ，２３ｂで拡開乃至は近接変位可能にバネ引張されている。引合いバネ２３ａ，２３ｂは、各バネ端を橋絡軸部２０ｅ、２０ｅ’の付け根付近に掛け止めてパッド２ｃの周回りに位置決め配置されている。
【００２３】
連結部材３は、コイルバネ３ａを可撓管３ｂの径内に嵌装したもので形成されている。可撓管３ｂとしては、ゴム製の丸チューブが組み付けられている。
【００２４】
その連結部材３は、支軸ピン３ｃ，３ｄをコイルバネ３ａのバネ端寄り径内に嵌着すると共に、支軸ピン３ｃ，３ｄをパッド本体２１ａの底中心，基台部４ｂの台中心に圧入固定し、また、可撓管３ｂの上下端をパッド本体２１ａ，基台部４ｂに接着固定することから、チャック具２を取手棒１の先端側に立付け装着するよう取り付けられている。
【００２５】
このように構成する電球交換器具では、旧電球の交換にあたっては下向き備付けの電球の場合、作業者が取手棒１を手で持ってチャック具２を電球Ｌの直下まで持ち運び、チャック具２のフィンガー２ａ，２ｂをガラス球ｌ１の中心回り球面にあてがってチャック具２を取手棒１で突き上げるよう操作する。
【００２６】
そのチャック具２の突上げ操作により、各立上り軸部２０ａ，２０ｂ、２０ａ’，２０ｂ’の先端側がガラス球ｌ１の中心回り球面に突き当たり、引合いバネ２３ａ，２３ｂが伸長することにより、フィンガー２ａ，２ｂがガラス球ｌ１の周側回り球面に滑込み拡開することから、電球Ｌのガラス球ｌ１をフィンガー２ａ，２ｂで把持すると共に、パッド２ｃがガラス球ｌ１の中心回り球面に当接する。
【００２７】
フィンガー２ａ，２ｂがガラス球ｌ１の周側回り球面に滑込み拡開するに、二つのフィンガー２ａ，２ｂを引合いバネ２３ａ，２３ｂで引張支持したものであるから、各フィンガー２ａ，２ｂがバランスよく均等に拡開し、電球Ｌのガラス球ｌ１をフィンガー２ａ，２ｂで確実に把持できる。また、ガラス球ｌ１の中心回り球面をパッド２ｃで押えるため、電球全体をチャック具２で安定よく保持できる。
【００２８】
チャック具２が電球Ｌのガラス球ｌ１を保持したならば、作業員が取手棒１を反時計方向に軸回しすると、電球Ｌをソケット部（図示せず）より取り外せる。また、電球Ｌをチャック具３で取り外したならば、作業員が取手棒１を持ち下げて電球Ｌを手元まで運んでチャック具３より取り外せばよい。
【００２９】
上述したとは逆に、新電球を取り付けるにあたっては、作業員が電球をチャック具３で保持させて取付け場所まで取手棒１で持ち運び、取手棒１を時計方向に軸回しすることから高所でも備え付けられる。電球を口金でソケット部に螺着したならば、作業員が取手棒１を引き下げることから電球をチャック具３より外せる。
【００３０】
電球が斜め下向き，横向き備付けのものであるときは、チャック具２のフィンガー２ａ，２ｂをガラス球ｌ１の中心回り球面にあてがい、チャック具２の向きを可撓性の連結部材３で電球向きに合せることから、チャック具２を取手棒１でガラス球ｌ１の中心回り球面に押圧するよう操作する。これにより、電球Ｌのガラス球ｌ１をフィンガー２ａ，２ｂで把持すると共に、パッド２ｃをガラス球ｌ１の中心回り球面に当接するようにできる。
【００３１】
チャック具２が電球Ｌのガラス球ｌ１を保持したならば、作業員が取手棒１を反時計方向に軸回し操作すると、電球Ｌをソケット部（図示せず）より取り外せる。下向き備付けの電球の場合を含み、この取手棒１の軸回し操作に伴って、コイルバネ３ａの螺旋径が開かないよう可撓管３ｂで抑えられるため、電球Ｌを口金のねじ戻し側に取手棒１の軸回し操作で円滑に回転させられる。
【００３２】
上述した実施の形態は、取手棒１をホルダー４で着脱自在に備えるもので説明したが、固定キャップを取手棒１の先端側に被着し、チャック具２を連結部材３で固定キャップに直付けするよう構成することもできる。また、上述した形態のチャック具２に限らず、連結部材３は他の形態のチャック具を取手棒１の先端側に立付け装着するにも適用できる。
【図面の簡単な説明】
【００３３】
【図１】本発明に係る電球交換器具を示す断面図である。
【図２】図１の電球交換器具を示す側面図である。
【図３】図１の電球交換器具を示す平面図である。
【符号の説明】
【００３４】
Ｌ            電球
ｌ１            ガラス球
１            取手棒
２            チャック具
２ａ，２ｂ    フィンガー
２０ａ，２０ｂ    立上り軸部
２０ｃ，２０ｄ    基軸部
２ｃ          パッド
２２ａ，２２ｂ    止め環
２３ａ，２３ｂ    引合いバネ
３            連結部材
３ａ          コイルバネ
３ｂ          可撓管
【図１】
2007059226.tif 000003
【図２】
2007059226.tif 000004
【図３】
2007059226.tif 000005